(57)【要約】【課題】自立型の商品のみならず、吊り下げ方式の商品であっても、より人目に付くように陳列することができる多重塔型陳列棚用棚板を提供する。【解決手段】複数本の支柱１１によって支持された棚板１２を多段に積み重ねて形成した多重塔型の陳列棚１０である。上記棚板１２の下方にアーム状の商品陳列用吊り金具１４を設ける。【選択図】図３
0003129202.tif 000002
【実用新案登録請求の範囲】
【請求項１】
複数本の支柱によって支持された棚板を多段に積み重ねて形成した多重塔型の陳列棚において、上記棚板の下方にアーム状の商品陳列用吊り金具を設けたことを特徴とする多重塔型陳列棚用棚板。
【請求項２】
上記棚板の下方に複数のアーム状の商品陳列用吊り金具を上記棚板の横手方向に所定の間隔を隔てて設けた請求項１記載の多重塔型陳列棚用棚板。
【請求項３】
上記棚板の下方に、並列に並べた複数の商品吊り下げ用アームと、これらのアームを連結して一体化する横枠と、一体化したアーム群を上記棚板に取り付けるための連結部よりなる商品陳列用吊り金具を設けた請求項１記載の多重塔型陳列棚用棚板。
【請求項４】
上記棚板の四隅に筒体を設けると共に、これらの筒体を隔壁によって上下に二分し、かつ、上部筒体を支柱装着用の第１装着部とし、下部筒体を支柱装着用又はキャスター装着用の第２装着部とする請求項１〜３のいずれか１項に記載の多重塔型陳列棚用棚板。
【請求項５】
上記棚板の周囲に広告宣伝用のパネルを装着するパネル装着部を設けた請求項１〜３のいずれか１項に記載の多重塔型陳列棚用棚板。
【考案の詳細な説明】
【技術分野】
【０００１】
本考案は、複数本の支柱によって支持した棚板を多段に積み重ねて形成した多重塔型の陳列棚に適用する棚板に関する。
【背景技術】
【０００２】
従来、複数本の支柱によって支持した棚板を多段に積み重ねて形成した多重塔型の陳列棚は、各棚板上に自立型の商品のみを並べて販売に供していた。しかしながら、吊り下げ方式の商品は、棚板上に自立させることが困難なため、従来の多重塔型の陳列棚に陳列されることが無かった。
【０００３】
吊り下げ方式の商品は、通常、店舗内に設置した固定式の陳列棚の仕切り壁に固定されたアーム状の金具に吊り下げられていたために、店舗内に立ち入らないと目視したり、手にとって効能などを確認することができなかった。
【考案の開示】
【考案が解決しようとする課題】
【０００４】
本考案は、このような問題を解消するためになされたものであり、その目的とするところは、自立型の商品のみならず、吊り下げ方式の商品であっても、より人目に付くように陳列することができる多重塔型陳列棚用棚板を提供することにある。
【課題を解決するための手段】
【０００５】
上記の課題を解決するため、請求項１に記載の考案に係る多重塔型陳列棚用棚板は、複数本の支柱によって支持された棚板を多段に積み重ねて形成した多重塔型の陳列棚において、上記棚板の下方にアーム状の商品陳列用吊り金具を設けたことを特徴とするものである。
【０００６】
請求項２に記載の考案に係る多重塔型陳列棚用棚板は、請求項１において、上記棚板の下方に複数のアーム状の商品陳列用吊り金具を上記棚板の横手方向に所定の間隔を隔てて設けたことを特徴とするものである。
【０００７】
請求項３に記載の考案に係る多重塔型陳列棚用棚板は、請求項１において、上記棚板の下方に、並列に並べた複数の商品吊り下げ用アームと、これらのアームを連結して一体化する横枠と、一体化したアーム群を上記棚板に取り付けるための連結部より成る商品陳列用吊り金具を設けたことを特徴とするものである。
【０００８】
請求項４に記載の考案に係る多重塔型陳列棚用棚板は、請求項１〜３のいずれか１項において、上記棚板の四隅に筒体を設けると共に、これらの筒体を隔壁によって上下に二分し、かつ、上部筒体を支柱装着用の第１装着部とし、下部筒体を支柱装着用又はキャスター装着用の第２装着部とすることを特徴とするものである。
【０００９】
請求項５に記載の考案に係る多重塔型陳列棚用棚板は、請求項１〜３のいずれか１項において、上記棚板の周囲に広告宣伝用のパネルを装着するパネル装着部を設けたことを特徴とするものである。
【考案の効果】
【００１０】
請求項１に記載の考案は、複数本の支柱によって支持された棚板を多段に積み重ねて形成した多重塔型の陳列棚において、上記棚板の下方にアーム状の商品陳列用吊り金具を設けたので、アーム状の商品陳列用吊り金具に商品を包装したパッケージに付いているフックを掛けたり、あるいは上記パッケージに付いている孔を通すことによって上記棚板の下方に吊り下げ方式の商品を展示することが可能になった。
【００１１】
このため、吊り下げ方式の商品を陳列した多重塔型の陳列棚を店頭に設置することにより、吊り下げ方式の商品が通行中の人にも目に止まり易くなり、その種の製品の購買力を高めるほか、顧客の利便性の向上を図ることが可能になった。
【００１２】
請求項２に記載の考案は、上記棚板の下方に複数のアーム状の商品陳列用吊り金具を上記棚板の横手方向に所定の間隔を隔てて設けたので、吊り下げ方式の多くの商品を陳列することが可能になり、顧客の購買力を高めることが可能になった。
【００１３】
請求項３に記載の考案は、上記棚板の下方に、並列に並べた複数の商品吊り下げ用アームと、これらのアームを連結して一体化した横枠と、一体化したアーム群を上記棚板に取り付けるための連結部より成る商品陳列用吊り金具を設けたので、複数の商品吊り下げ用アームを棚板の下面に簡単に一挙に装着することが可能になり、商品陳列用吊り金具の装着が容易になった。
【００１４】
請求項４に記載の考案は、上記棚板の四隅に筒体を設けると共に、これらの筒体を隔壁によって上下に二分し、かつ、上部筒体を支柱装着用の第１装着部とし、下部筒体を支柱装着用又はキャスター装着用の第２装着部とするので、第１，第２装着部に支柱を装着することによって棚板を多段に積み重ねることが可能となると共に、第２装着部にキャスターを装着することによって多重塔型陳列棚を容易に移動させることが可能になった。
【００１５】
請求項５に記載の考案は、上記棚板の周囲に広告宣伝用のパネルを装着するパネル装着部を設けたので、上記パネル装着部を広告宣伝用のパネルを装着することによって棚段上に陳列した商品の広告宣伝効果を高めることが可能になった。
【考案を実施するための最良の形態】
【００１６】
以下、本考案の実施の形態を図面を用いて説明する。
図７は、本考案に係る棚板を用いた多重塔型陳列棚の斜視図であり、この多重塔型陳列棚１０は、複数本（例えば、４本）の支柱１１によって支持された棚板１２を多段（例えば、３段）に積み重ねたものであり、その最下段にキャスター１３の付いた棚板１２（１２ｄ）を用いて簡単に移動できるようになっている。
【００１７】
また、この多重塔型陳列棚１０は、その左右両側に縦に長い広告宣伝用のパネル１５を装着するとともに、最上段の棚板１２ａの前後に比較的横幅の広い広告宣伝用のパネル１６を装着し、さらに、最下段の棚板１２ｄの前面に同様の広告宣伝用のパネル１７を設けて商品の広告宣伝を実施できるようになっている。
【００１８】
この多重塔型陳列棚１０は、図１に示すように、任意の棚板（例えば、最上段の棚板）１２の下方に商品陳列用吊り金具１４を着脱自在に設けている。棚板１２の下方に設けた商品陳列用吊り金具１４は、図１〜図４に示すように、この並列に並べた複数の商品吊り下げ用アーム２１と、これらのアーム２１どうしを連結して一体化する複数の横枠２２と、上記商品吊り下げ用アーム２１のうちの二本の商品吊り下げ用アーム２１に設けた連結部２３により形成されている。
【００１９】
この商品吊り下げ用アーム２１は、Ｌ字形状に形成されているが、両端に位置する二本の商品吊り下げ用アーム２１は、図３に示すように、コの字形に形成され、その一の字形の上辺部がＬ字形状の下辺部よりも短尺な連結部２３になっている。そして、上記商品陳列用吊り金具１４は、一の字形の連結部２３を上記棚板１２の下面に設けたＵ字状の支持体３１に設けられている孔３２に挿入することによって上記棚板１２の下面に取り付けられている。なお、棚板１２の下面には、図５に示すように、コの字形に形成した商品陳列用吊り金具（図３参照）１４ａを個々に装着することもできる。なお、同じ部品には、同じ符号を付けて詳しい説明を省略する。
【００２０】
上記棚板１２は、平面視でビヤ樽状に形成され、その四隅に筒体３３を有している。これらの筒体３３は、隔壁３４によって上下に二分され、上部筒体は、支柱装着用の第１装着部３３ａとなり、下部筒体は、支柱装着用又はキャスター装着用の第２装着部３３ｂになっている。
【００２１】
さらに、棚板１２は、図２に示すように、上記筒体３３の下面と上記隔壁３４とのほぼ中間の高さに設けられ、その前後両端には、上記隔壁３４とほぼ同じ高さの壁面３５が設けられている。これらの壁面３５の上下両端には、それぞれ、パネル装着用の溝３６が設けられている。また、上記棚板１２の左右両端には、筒体３３と同じ高さの壁面３７が設けられ、これらの壁面３７の側面には、それぞれ、一対の横断面Ｌ字形のパネル装着部３８が溝３９を外側に向けて設けられている。また、これらのパネル装着部３８は、その先端部に爪部４０を設けてパネルの脱落を防止するようになっている。
【００２２】
縦に長い広告宣伝用のパネル１５は、例えば、図６に示すように、一対のＬ字形のパネル装着部３８に沿って差し込むと容易に装着することができる。棚板の形状としては、ビヤ樽状に限定されるものではなく、例えば、正方形、円形、三角形など任意の形状を適用することができる。
【００２３】
図７に示す多重塔型陳列棚１０は、既に説明したように、最上段の棚板１２ａの下方に商品陳列用吊り金具１４を設けているので、この商品陳列用吊り金具１４に設けられている複数の商品吊り下げ用アーム２１にそれぞれ商品を包装した吊り下げ方式のパッケージＰを吊り下げることができる。
【００２４】
なお、中段の棚板１２ｂには、商品陳列用吊り金具１４を取り付けていないので、最下段の棚板１２ｃ上に自立型の商品Ｍを陳列しているが、中段の棚板１２ｂの下方に最上段の棚板１２ａと同様に商品陳列用吊り金具１４を設けることによって中段の棚板１２ｂの下方にも吊り下げ方式のパッケージＰを吊り下げることができる。
【図面の簡単な説明】
【００２５】
【図１】本考案に係る棚板の平面図である。
【図２】本考案に係る棚板の一部断面を含む正面図である。
【図３】本考案に係る棚板の側面図である。
【図４】本考案に係る棚板の底面図である。
【図５】本考案に係る棚板の他の実施形態を示す一部断面を含む正面図である。
【図６】本考案に係る棚板の側面に設けたパネル装着部に広告宣伝用のパネルを装着する様子を示す説明図である。
【図７】本考案に係る棚板を用いた多重塔型陳列棚の斜視図である。
【符号の説明】
【００２６】
１０  多重塔型陳列棚
１１  支柱
１２  棚板
１４  商品陳列用吊り金具
【図１】
0003129202.tif 000003
【図２】
0003129202.tif 000004
【図３】
0003129202.tif 000005
【図４】
0003129202.tif 000006
【図５】
0003129202.tif 000007
【図６】
0003129202.tif 000008
【図７】
0003129202.tif 000009